(57)【要約】      （修正有）【課題】中空層の膨張／収縮を防止して、シール材の劣化、映像歪みを防止できる複層窓を提供する。【解決手段】少なくとも３枚のガラス板１２，１４，１６を隔置し、周縁をシール材２６，３８でシールして、第１の中空層と第２の中空層とを備えた複層窓を構成する複層ガラス１０において、第１の中空層と第２の中空層とが、第１の連通管４６と第２の連通管４８とで互いに連通される。これにより、第１の中空層と第２の中空層との間で圧力差が生じたときに相互にバランスをとることができ、シール材の劣化、映像歪みを防止できる。内部に配置される少なくとも１枚のガラス板１４が強化ガラスで成っている。【選択図】図１
2014205595.tif 000002
【特許請求の範囲】
【請求項１】
少なくとも３枚の透明基板を隔置し、周縁をシール材でシールして、各透明基板の間に中空層を備えることにより複数の中空層を備えた複層窓において、
前記複数の中空層を連結する連結路を備えたことを特徴とする複層窓。
【請求項２】
前記連結路は、各々独立した第１の管路と第２の管路とからなり、
隣接する前記中空層の一方を第１の中空層、他方を第２の中空層としたときに、
前記第１の管路は、一端が前記第１の中空層の上端部近傍に連通され、他端が前記第２の中空層の下端部近傍に連通され、
前記第２の管路は、一端が前記第１の中空層の下端部近傍に連通され、他端が前記第２の中空層の上端部近傍に連通されることを特徴とする請求項１に記載の複層窓。
【請求項３】
前記第１の管路は、一端が前記第１の中空層の一方の側辺部の上端近傍に連通され、他端が前記第２の中空層の一方の側辺部の下端近傍に連通され、
前記第２の管路は、一端が前記第１の中空層の他方の側辺部の下端近傍に連通され、他端が前記第２の中空層の他方の側辺部の上端近傍に連通されることを特徴とする請求項２に記載の複層窓。
【請求項４】
前記第１の管路は、一端が前記第１の中空層の上辺部に連通され、他端が前記第２の中空層の下辺部に連通され、
前記第２の管路は、一端が前記第１の中空層の下辺部に連通され、他端が前記第２の中空層の上辺部に連通されることを特徴とする請求項２に記載の複層窓。
【請求項５】
少なくとも１枚の透明基板が化学強化ガラスで構成されることを特徴とする請求項１から４のいずれか１項に記載の複層窓。
【請求項６】
内側に配置される透明基板が、化学強化ガラスで構成され、かつ、厚さが外側に配置される透明基板よりも薄いことを特徴とする請求項１から５のいずれか１項に記載の複層窓。
【請求項７】
少なくとも１枚の透明基板に低放射膜が備えられることを特徴とする請求項１から６のいずれか１項に記載の複層窓。
【発明の詳細な説明】
【技術分野】
【０００１】
本発明は複層窓に関する。
【背景技術】
【０００２】
複層窓を構成する複層ガラスは、複数枚のガラス板をスペーサで隔置し、周縁をシール材でシールして構成される。各ガラス板の間には密封された中空層が備えられ、この中空層の作用によって、複層ガラスには高い断熱性能が備えられている。
【０００３】
ところで、複層ガラスでは、温度が変化すると、中空層が膨張／収縮する。中空層が膨張／収縮すると、シール材に負荷がかかり、シール材が劣化しやすくなる。また、薄いガラス板を用いた複層ガラスの場合には、中空層の膨張／収縮によってガラス板が大きく撓み易く、複層ガラスを通して見える映像に歪みが生じる。
【０００４】
特許文献１では、外気導入孔を有するシリンダーと、そのシリンダー内に移動可能に配置された可動棒材とを備えた内圧自動調整装置を複層ガラスに取り付け、常に内圧（中空層内の圧力）を大気圧とほぼ同一にすることにより、中空層が膨張／収縮するのを防止している。
【先行技術文献】
【特許文献】
【０００５】
【特許文献１】特開平７−４２５２号公報
【発明の概要】
【発明が解決しようとする課題】
【０００６】
しかしながら、引用文献１の内圧自動調整装置は、対応できる容量が小さく、大きなサイズの複層ガラスなどには適用できないという欠点がある。
【０００７】
また、複数の中空層を備えた複層ガラスの場合には、中空層ごとに内圧自動調整装置を設置しなければならないという欠点がある。
【０００８】
本発明は、このような事情に鑑みてなされたもので、中空層の膨張／収縮を防止して、シール材の劣化、映像歪みを防止できる複層窓を提供することを目的とする。
【課題を解決するための手段】
【０００９】
上記課題を解決する態様について説明する。
【００１０】
第１の態様は、少なくとも３枚の透明基板を隔置し、周縁をシール材でシールして、各透明基板の間に中空層を備えることにより複数の中空層を備えた複層窓において、前記複数の中空層を連結する連結路を備えたことを特徴とする複層窓である。
【００１１】
本態様によれば、中空層を複数備える複層窓において、隣接する中空層又は隣接しない中空層が連結路で連通される。これにより、各中空層間で圧力差が生じたときに相互にバランスをとることができ、中空層が膨張／収縮するのを防止できる。また、これにより、シール材への負荷を低減でき、シール材が劣化するのを防止することができる。また、ガラス板が撓むのを防止でき、映像歪みが生じるのを防止することができる。
【００１２】
なお、前記隣接しない中空層とは、例えば、３層の中空層が存在する複層窓の場合、中央の中空層を除く両側の２つの中空層のことを言う。以下の態様は、３枚の透明基板からなる２つの中空層を備えた複層窓の態様について説明するが、本発明の趣旨は、隣接しない２つの中空層を連結路で連結する複層窓の態様を含む。
【００１３】
第２の態様は、連結路は、各々独立した第１の管路と第２の管路とからなり、隣接する中空層の一方を第１の中空層、他方を第２の中空層としたときに、第１の管路は、一端が第１の中空層の上端部近傍に連通され、他端が第２の中空層の下端部近傍に連通され、第２の管路は、一端が第１の中空層の下端部近傍に連通され、他端が第２の中空層の上端部近傍に連通される態様である。
【００１４】
本態様によれば、連結路が、各々独立した第１の管路と第２の管路とで構成される。第１の管路は、隣接する中空層の一方を第１の中空層、他方を第２の中空層とすると、一端が第１の中空層の上端部近傍に連通され、他端が第２の中空層の下端部近傍に連通される。また、第２の管路は、一端が第１の中空層の下端部近傍に連通され、他端が第２の中空層の上端部近傍に連通される。すなわち、第１の管路と第２の管路とは、互いに斜め十文字にうち違えるように配置（いわゆる、襷掛けの形態による配置）されて、第１の中空層と第２の中空層とを連通する。一般に空気は上部に溜まり、冷たい空気は下部に溜まるので、第１の中空層の上端部近傍と第２の中空層の下端部近傍とを第１の管路で連通し、及び、第１の中空層の下端部近傍と第２の中空層の上端部近傍とを第２の管路で連通することにより、中空層間で温度差が生じた時に空気を循環させることができる。これにより、温度変化に基づく中空層の膨張／収縮を更に効率よく抑制することができる。
【００１５】
第３の態様は、第１の管路は、一端が第１の中空層の一方の側辺部の上端近傍に連通され、他端が第２の中空層の一方の側辺部の下端近傍に連通され、第２の管路は、一端が第１の中空層の他方の側辺部の下端近傍に連通され、他端が第２の中空層の他方の側辺部の上端近傍に連通される態様である。
【００１６】
本態様によれば、第１の管路は、一端が第１の中空層の一方の側辺部の上端近傍に連通され、他端が第２の中空層の一方の側辺部の下端近傍に連通される。また、第２の管路は、一端が第１の中空層の他方の側辺部の下端近傍に連通され、他端が第２の中空層の他方の側辺部の上端近傍に連通される。すなわち、複層ガラスの両側に第１の管路と第２の管路とが配置される。これにより、第１の中空層の上端部分に溜まる温かい空気を第１の管路によって第２の中空層の下端部分に導くことができ、また、第２の中空層の上端部分に溜まる温かい空気を第２の管路によって第１の中空層の下端部分に導くことができる。
【００１７】
第４の態様は、第１の管路は、一端が第１の中空層の上辺部に連通され、他端が第２の中空層の下辺部に連通され、第２の管路は、一端が第１の中空層の下辺部に連通され、他端が第２の中空層の上辺部に連通される態様である。
【００１８】
本態様によれば、第１の管路は、一端が第１の中空層の上辺部に連通され、他端が第２の中空層の下辺部に連通される。また、第２の管路は、一端が第１の中空層の下辺部に連通され、他端が第２の中空層の上辺部に連通される。これにより、第１の中空層の上端部分に溜まる温かい空気を第１の管路によって第２の中空層の下端部分に導くことができ、また、第２の中空層の上端部分に溜まる温かい空気を第２の管路によって第１の中空層の下端部分に導くことができる。
【００１９】
第５の態様は、少なくとも１枚の透明基板が化学強化ガラスで構成される態様である。
【００２０】
本態様によれば、少なくとも１枚の透明基板が化学強化ガラスで構成される。これにより、強度を確保しつつ、総厚を薄くすることができる。化学強化ガラスは、たとえば、内側に配置される透明基板に用いることができる。
【００２１】
第６の態様は、内側に配置される透明基板が、化学強化ガラスで構成され、かつ、厚さが外側に配置される透明基板よりも薄い態様である。
【００２２】
本態様によれば、内側に配置される透明基板が、化学強化ガラスで構成され、かつ、厚さが外側に配置される透明基板よりも薄いガラス板で構成される。たとえば、３枚のガラス板で複層窓が構成される場合は、中央に配置されるガラス板が薄い化学強化ガラスで構成される。これにより、強度を確保しつつ、総厚を薄くすることができる。また、薄いことにより撓むことができるため、中空層が膨張／収縮した際、その撓みによってシール部材が受ける応力を吸収でき、シール材にかかる負荷を低減することができる。
【００２３】
第７の態様は、少なくとも１枚の透明基板に低放射膜が備えられる態様である。
【００２４】
本態様によれば、少なくとも１枚の透明基板に低放射膜が備えられる。透明基板であるガラス板の表面に低放射膜、すなわち、Ｌｏｗ−Ｅ（Low-Emissivity）を備えることにより、赤外線による熱エネルギの放射率を低くすることができ、遮熱性、断熱性を向上させることができる。
【発明の効果】
【００２５】
本発明によれば、中空層の膨張／収縮を防止して、シール材の劣化、映像歪みを防止できる。
【図面の簡単な説明】
【００２６】
【図１】本発明に係る複層窓を構成する複層ガラスの一実施形態を示す斜視図
【図２】図１に示した複層ガラスの正面図
【図３】図１に示した複層ガラスの左側面図
【図４】図１に示した複層ガラスの右側面図
【図５】図２の５−５断面図
【図６】図２の６−６断面図
【図７】連通管のその他の連通形態を示す斜視図
【発明を実施するための形態】
【００２７】
以下、添付図面に従って本発明の好ましい実施の形態について詳説する。
【００２８】
図１は、本発明に係る複層窓を構成する複層ガラス１０の一実施形態を示す斜視図である。また、図２、図３、図４は、それぞれ図１に示した複層ガラス１０の正面図、左側面図、右側面図である。また、図５は、図２の５−５断面図であり、図６は、図２の６−６断面図である。なお、以下に説明する複層窓では、透明基板としてガラス板を例示するが、これに限定されるものではなく、樹脂製の透明基板であっても本発明の複層窓に適用できる。
【００２９】
複層ガラス１０は、３枚のガラス板で構成され、２つの中空層が備えられる。そして、その２つの中空層が互いに連通管（管路）で連通される。なお、複層窓としては、４枚以上のガラス板からなる３つ以上の中空層を備えた複層窓でもよい。
【００３０】
３枚のガラス板は、第１のガラス板１２と、第２のガラス板１４と、第３のガラス板１６とからなり、第１のガラス板１２、第２のガラス板１４、第３のガラス板１６の順で隔置される。
【００３１】
外側に配置される第１のガラス板１２及び第３のガラス板１６は、通常のフロートガラスであり、内側に配置される第２のガラス板１４は、化学強化ガラスである。また、内側に配置される第２のガラス板１４は、外側に配置される第１のガラス板１２及び第３のガラス板１６よりも厚さが薄くされる。
【００３２】
ここで、化学強化ガラスとは、化学強化法によって強度を向上させたガラスをいう。化学強化法とは、ガラス表面層の分子をイオン交換してガラス表面に大きな分子を形成し、ガラス表面層に圧縮応力を形成して、ガラスを強化する方法である。化学強化法によれば、厚さの薄いガラス板を良好に強化できる。
【００３３】
このように内側に配置される第２のガラス板１４に厚さの薄い化学強化ガラスを使用することにより、一定の強度を確保しつつ、複層ガラス１０の総厚を薄くすることができる。また、薄い化学強化ガラスは、撓むことができるため、中間層が膨張／収縮した際に、その撓みによってシール部材が受ける応力を吸収することができる。これにより、シール材にかかる負荷を低減でき、シール材の劣化を抑止することができる。
【００３４】
第１のガラス板１２と第２のガラス板１４とは、第１のスペーサ１８で隔置される。また、第２のガラス板１４と第３のガラス板１６とは、第２のスペーサ２０で隔置される。
【００３５】
第１のスペーサ１８は、一定の厚さを有する矩形の枠状の部材であり、各辺が第１のガラス板１２と第２のガラス板１４の各辺に沿って配置される。すなわち、その上辺部、下辺部、左側辺部、右側辺部が、それぞれ第１のガラス板１２及び第２のガラス板１４の上辺部、下辺部、左側辺部、右側辺部に沿って配置される。
【００３６】
第１のガラス板１２と第２のガラス板１４は、この第１のスペーサ１８によって一定の間隔をもって対向して隔置される。これにより、第１のガラス板１２と第２のガラス板１４との間に一定の厚さを有する第１の中空層２２が備えられる。
【００３７】
第１のスペーサ１８は、角筒状の断面形状を有しており、第１のガラス板１２と対向する面と、第２のガラス板１４と対向する面とが、それぞれ一次シール材２４によって第１のガラス板１２と第２のガラス板１４とに接着される。これにより、第１のガラス板１２と第２のガラス板１４とが一体的に接合される。
【００３８】
また、第１のスペーサ１８の外側（第１の中空層２２と反対側）には、二次シール材２６が充填される。二次シール材２６は、一次シール材２４と接するようにして、第１のガラス板１２と第２のガラス板１４との間に形成される凹状の空間に充填される。これにより、第１の中空層２２の周縁がシール（密閉）される。
【００３９】
また、第１のスペーサ１８の内面（第１の中空層２２側の面）には、通気孔２８が備えられる。通気孔２８は、周方向に沿って一定の間隔で備えられ、それぞれ第１のスペーサ１８の中空部３０に連通される。中空部３０には、ゼオライト等の粒状乾燥剤３２が充填される。これにより、第１の中空層２２の空気を乾燥させることができる。
【００４０】
第２のスペーサ２０は、一定の厚さを有する矩形の枠状の部材であり、各辺が第２のガラス板１４と第３のガラス板１６の各辺に沿って配置される。すなわち、その上辺部、下辺部、左側辺部、右側辺部が、それぞれ第２のガラス板１４及び第３のガラス板１６の上辺部、下辺部、左側辺部、右側辺部に沿って配置される。
【００４１】
第２のガラス板１４と第３のガラス板１６は、この第２のスペーサ２０によって一定の間隔をもって対向して隔置される。これにより、第１のガラス板１２と第２のガラス板１４との間に第２の中空層３４が備えられる。
【００４２】
第２のスペーサ２０は、角筒状の断面形状を有しており、第２のガラス板１４と対向する面と、第３のガラス板１６と対向する面とが、それぞれ一次シール材３６によって第２のガラス板１４と第３のガラス板１６とに接着される。これにより、第２のガラス板１４と第３のガラス板１６とが一体的に接合される。
【００４３】
また、第２のスペーサ２０の外側（第２の中空層３４と反対側）には、二次シール材３８が充填される。二次シール材３８は、一次シール材３６と接するようにして、第２のガラス板１４と第３のガラス板１６の間に形成される凹状の空間に充填される。これにより、第２の中空層３４の周縁がシール（密閉）される。
【００４４】
また、第２のスペーサ２０の内面（第１の中空層２２側の面）には、通気孔４０が備えられる。通気孔４０は、周方向に沿って一定の間隔で備えられ、それぞれ第２のスペーサ２０の中空部４２に連通される。中空部４２には、ゼオライト等の粒状乾燥剤４４充填される。これにより、第２の中空層３４の空気を乾燥させることができる。
【００４５】
なお、第１のスペーサ１８と第２のスペーサ２０は、主にアルミニウムを主材質とする金属製スペーサが使用されるが、複層ガラス１０の周辺部の熱伝導を減じる必要がある場合は、熱伝導率の比較的小さい金属であるステンレス材や硬質樹脂からなるものを使用することが好ましい。
【００４６】
一次シール材としては、通常架橋処理されないブチルゴム、もしくは、ポリイソブチレンをベースとし、着色と補強を目的としたカーボンブラックなどのフィラーを含有させたものが好適である。
【００４７】
二次シール材としては、ポリサルファイド、シリコーン、ウレタンなどの硬化性エラストマをベースとし、ガラスとの接着性を発現するために適当な変性を加えられたものなどが好適である。
【００４８】
第１の中空層２２と第２の中空層３４とは、第１の連通管（第１の管路）４６と第２の連通管（第２の管路）４８とを備えた連結路によって、互いに連通される。
【００４９】
第１の連通管４６は、両端が直角に屈曲したコ字状の細管で構成され、複層ガラス１０の左側部に配置される。第１の連通管４６は、一端が第１のスペーサ１８の左側辺部の上端部近傍を貫通して、第１の中空層２２に連通される、また、他端が第２のスペーサ２０の左側辺部の下端部近傍を貫通して、第２の中空層３４に連通される。これにより、第１の中空層２２の上端部近傍と第２の中空層３４の下端部近傍とが互いに連通される。
【００５０】
なお、第１のスペーサ１８の左側辺部の上端部近傍には、第１の連通管４６を通すための挿通孔が備えられる。第１の連通管４６は、この挿通孔を通して、一方の先端が第１の中空層２２の内側に挿入される。同様に、第２のスペーサ２０の左側辺部の下端部近傍には、第１の連通管４６を通すための挿通孔が備えられる。第１の連通管４６は、この挿通孔を通して、他方の先端が第２の中空層３４の内側に挿入される。
【００５１】
第２の連通管４８は、両端が直角に屈曲したコ字状の細管で構成され、複層ガラス１０の右側部に配置される。第２の連通管４８は、一端が第１のスペーサ１８の右側辺部の下端部近傍を貫通して、第１の中空層２２に連通される。また、他端が第２のスペーサ２０の右側辺部の上端部近傍を貫通して、第２の中空層３４に連通される。これにより、第１の中空層２２の下端部近傍と第２の中空層３４の上端部近傍とが互いに連通される。
【００５２】
なお、第１のスペーサ１８の右側辺部の下端部近傍には、第２の連通管４８を通すための挿通孔が備えられる。第１の連通管４６は、この挿通孔を通して、一方の先端が第１の中空層２２の内側に挿入される。同様に、第２のスペーサ２０の右側辺部の上端部近傍には、第２の連通管４８を通すための挿通孔が備えられる。第２の連通管４８は、この挿通孔を通して、他方の先端が第２の中空層３４の内側に挿入される。
【００５３】
このように、第１の連通管４６と第２の連通管４８とは、複層ガラス１０の左右両側部に配置され、互いに斜め十文字にうち違えるように配置（いわゆる、襷掛けの形態で配置）されて、第１の中空層２２と第２の中空層３４とを互いに連通する。
【００５４】
実施の形態の複層窓を構成する複層ガラス１０は、以上のように構成される。
【００５５】
複層ガラス１０によれば、第１の中空層２２と第２の中空層３４とが、第１の連通管４６と第２の連通管４８とを介して互いに連通される。これにより、第１の中空層２２と第２の中空層３４との間で圧力差が生じたときに相互にバランスをとることができ、第１の中空層２２及び第２の中空層３４が膨張／収縮するのを効果的に防止することができる。これにより、中空層の膨張／収縮によるシール材への負荷を低減でき、シール材が劣化するのを防止することができる。また、膨張／収縮に基づくガラス板の撓みを防止でき、映像歪みが生じるのを防止することができる。
【００５６】
なお、本実施の形態では、２つの連通管によって第１の中空層２２と第２の中空層３４とを連通する構成としているが、１つの連通管によって連通する構成とすることもできる。
【００５７】
なお、本実施の形態のように、２つの連通管によって互いの中空層の上端部近傍と下端部近傍とを連通することにより、中空層間で温度差が生じた時に、空気を循環させることができ、より効果的に中空層の膨張／収縮を抑えることができる。すなわち、一般に暖かい空気は上部に溜まり、冷たい空気は下部に溜まるので、互いの上部に溜まる暖かい空気を他方側の中空層の下部に導くように管路を組むことにより、効率よく空気を循環させることができる。これにより、中空層間で温度の均衡を図ることができ、より効果的に中空層の膨張／収縮を抑えることができる。
【００５８】
図７は、連通管のその他の連通形態を示す斜視図である。
【００５９】
上記実施の形態では、第１の中空層２２の左側辺部の上端部近傍と第２の中空層３４の左側辺部の下端部近傍とを第１の連通管４６で連通し、第１の中空層２２の右側辺部の下端部近傍と第２の中空層３４の右側辺部の上端部近傍とを第２の連通管４８で連通する構成としているが、図７に示すように、第１の中空層２２の上辺部と第２の中空層３４の下辺部とを第１の連通管４６で連通し、第１の中空層２２の下辺部と第２の中空層３４の上辺部とを第２の連通管４８で連通する構成とすることによっても、同様の作用効果を奏することができる。
【００６０】
この場合、第１の連通管４６は、一端が第１のスペーサ１８の上辺部を貫通して、第１の中空層２２に連通され、他端が第２のスペーサ２０の下辺部を貫通して、第２の中空層３４に連通される。また、第２の連通管４８は、一端が第１のスペーサ１８の下辺部を貫通して、第１の中空層２２に連通され、他端が第２のスペーサ２０の上辺部を貫通して、第２の中空層３４に連通される。これにより、第１の中空層２２の上辺部と第２の中空層３４の下辺部とが第１の連通管４６を介して連通され、第１の中空層２２の下辺部と第２の中空層３４の上辺部とが第２の連通管４８を介して連通される。
【００６１】
なお、この場合、第１のスペーサ１８の上辺部には、第１の連通管４６を通すための挿通孔が備えられ、第２のスペーサ２０の下辺部には、第１の連通管４６を通すための挿通孔が備えられる。また、第１のスペーサ１８の下辺部には、第２の連通管４８を通すための挿通孔が備えられ、第２のスペーサ２０の上辺部には、第２の連通管４８を通すための挿通孔が備えられる。
【００６２】
なお、第１の連通管４６及び第２の連通管４８を連通させる位置は、各辺部の中央部分とすることが好ましい。
【００６３】
また、第１の連通管４６及び第２の連通管４８については、その設置部のシール性等の観点から極細管を用いることが好ましい。ただし、その内径が小さすぎると空気が流れなくなるおそれがあるので、空気の流れを生じさせ得る程度の内径を有する極細管（いわゆる、キャピラリーチューブ）を使用することが好ましい。たとえば、内径０、１ｍｍ〜１ｍｍ程度の極細管を使用することができる。
【００６４】
また、上記実施の形態では、内側に配置される第２のガラス板１４を化学強化ガラスとしているが、３枚とも通常のフロートガラスとすることもできる。同様に３枚とも化学強化ガラスとすることもできる。また、必要に応じて、網入りガラスや耐熱防火性ガラスとすることもできる。
【００６５】
なお、上記実施の形態の複層ガラス１０のように、内側に配置される第２のガラス板１４を薄い化学強化ガラス（たとえば、厚さ０．２ｍｍ〜１．２ｍｍの化学強化ガラス）とすることにより、一定の強度を確保しつつ、複層ガラス１０の総厚を小さくすることができる。また、薄い化学強化ガラスとすることにより、中空層が膨張／収縮した際、その撓みによってシール部材が受ける応力を吸収でき、シール材にかかる負荷を低減することができる。これにより、シール材の寿命を更に延ばすことができる。
【００６６】
通常のフロートガラスを使用する場合は、たとえば、厚さが３ｍｍ〜５ｍｍのガラス板を使用することができ、網入りガラスを使用する場合は、厚さが６．８ｍｍのガラス板を使用することができる。
【００６７】
また、各ガラス板の間に形成する中空層の厚さについては、適宜設定することができるが、たとえば、６ｍｍに設定することができる。
【００６８】
また、３枚のガラス板については、少なくとも１枚のガラス板に低放射膜を備えることができる。表面に低放射膜、すなわち、Ｌｏｗ−Ｅ（Low-Emissivity）を備えたガラス板を使用することにより、赤外線による熱エネルギの放射率を低くすることができ、遮熱性、断熱性を向上させることができる。
【００６９】
どのガラス板に低放射膜を備えるかは適宜選択することができる。たとえば、外側に配置されるガラス板のいずれか一方、又は、双方に備えることができる。
【００７０】
また、低放射膜を備える面については、使用する低放射膜に応じて適宜選択することができる。たとえば、銀系の低放射膜（いわゆる、銀（Ａｇ）を主体（主成分）として構成される低放射膜）を用いる場合は、傷等の観点から、複層ガラス１０の内側の面に付与することが好ましい。
【００７１】
また、上記実施の形態では、複層窓の複層ガラス１０を３枚のガラス板で構成しているが、４枚以上のガラス板で複層ガラスを構成することもできる。この場合、隣接する２つの中間層を、連通管（連結路）を介して互いに連通してもよく、隣接しない２つの中空層を、連通管を介して互いに連通してもよい。
【００７２】
また、実施の形態では本発明の連結路として連通管を例示したが、これに限定されるものではない。例えば、３枚の透明基板のうち、中央の透明基板に１つ以上の開口部を備えさせ、この開口部を連結路とし、この連結路を介して隣隣する２つの中空層を連通させてもよい。また、４枚の透明基板からなる複層窓の場合は、内側に位置する２枚の透明基板に１つ以上の開口部を備えさせ、この開口部を連結路とし、この連結路を介して３つの中空層を連通させればよい。
【符号の説明】
【００７３】
１０…複層ガラス、１２…第１のガラス板、１４…第２のガラス板、１６…第３のガラス板、１８…第１のスペーサ、２０…第２のスペーサ、２２…第１の中空層、２４…一次シール材、２６…二次シール材、２８…通気孔、３０…中空部、３２…粒状乾燥剤、３４…第２の中空層、３６…一次シール材、３８…二次シール材、４０…通気孔、４２…中空部、４４…粒状乾燥剤、４６…第１の連通管、４８…第２の連通管
【図１】
2014205595.tif 000003
【図２】
2014205595.tif 000004
【図３】
2014205595.tif 000005
【図４】
2014205595.tif 000006
【図７】
2014205595.tif 000007
【図５】
2014205595.tif 000008
【図６】
2014205595.tif 000009